(57)【要約】      （修正有）【課題】開閉が容易となる引き戸を提供する。【解決手段】この引き戸１０は、矩形状の引き戸本体１６と、該引き戸本体の左右両側縁面に取り付けられ上下に延びる細長い縁板１８とを有する。引き戸本体１６の表面１２の左右両側縁には、該表面に対して凹み上下に延びる凹部を設け、該凹部と表面との間の段面１３と該縁板１８との間に、略矩形形状の断面を有する溝状の取っ手１４が形成されている。【選択図】図１
0003145461.tif 000002
【実用新案登録請求の範囲】
【請求項１】
表面における左右両側縁に沿って取っ手を形成したことを特徴とする引き戸。
【請求項２】
前記取っ手は、前記左右両側縁に沿って上下方向に延びる溝とされている請求項１に記載の引き戸。
【請求項３】
矩形状の引き戸本体と、
該引き戸本体の左右両側縁面に取り付けられ上下に延びる細長い縁板と、
を有し、
該引き戸本体の表面の左右両側縁には、該両側縁間の表面に対して凹み上下に延びる凹部を有し、前記溝は、該凹部と該表面との間の段面と前記縁板との間に形成されている請求項２に記載の引き戸。
【請求項４】
前側と後側の一対の引き戸を備える収納棚であって、
請求項１乃至３のいずれかに記載の引き戸を前側の引き戸とし、
該後側の引き戸は、それが閉じられた位置にあるときに、前側の引き戸から離れた側の縁に沿った取っ手を有し、且つ、当該後側の引き戸が前側の引き戸より広い横幅を有し、該後側の引き戸が開かれて前側の引き戸に重なったときに、当該後側の引き戸の取っ手が、前側の引き戸に重ならないようにしたことを特徴とする収納棚。
【考案の詳細な説明】
【技術分野】
【０００１】
本考案は、収納棚及びその引き戸に関する。
【背景技術】
【０００２】
従来、引き戸式の収納棚においては、引き戸表面の左右一方の側縁部の(上下方向)中央部付近に凹み形状の取っ手や出っ張り形状の取っ手が設けられ、その取っ手を用いて引き戸の開閉が行われている。
【考案の開示】
【考案が解決しようとする課題】
【０００３】
このような従来の引き戸では、引き戸表面の一方の側縁部の(上下方向)中央部付近のみに取っ手が設けられていたため、棚の位置が高くなると取っ手の位置も高くなり、使用者の身長によっては引き戸の開閉が困難となることがあった。また、取っ手が引き戸表面の左右の一端にしか設けられていなかったため、開閉に不便なことがあった。
【課題を解決するための手段】
【０００４】
すなわち、本考案は、
表面（以下に述べる実施形態においては参照番号１２で示す）における左右両側縁に沿って取っ手（１４、１４）を形成したことを特徴とする引き戸（１０）を提供する。
【０００５】
また、前記取っ手（１４）は、前記左右両側縁に沿って上下方向に延びる溝とすることができる。
【０００６】
このように溝を設けることにより、引き戸の開閉に用いられる取っ手としての引っ掛かりが引き戸表面の左右両側縁全体に形成されるため、引き戸が高い位置にあってもその開閉が容易となる。更に、取っ手を引き戸表面の左右両側縁に設けたことから、引き戸の開閉はどちらの取っ手を用いてもできるので、非常に利便性のあるものとなる。
【０００７】
具体的には、
矩形状の引き戸本体（１６）と、
該引き戸本体の左右両側縁面に取り付けられ上下に延びる細長い縁板（１８）と、
を有し、
引き戸本体の表面の左右両側縁には、該両側縁間の表面に対して凹み上下に延びる凹部（２０）を有し、前記溝は、該凹部と表面（１２）との間の段面と前記縁板との間に形成されるようにすることができる。
【０００８】
引き戸本体の表面の左右両側縁に、上下に延びる凹部（２２）を形成することは容易であり、従って、当該取っ手を容易に作ることができる。
【０００９】
前側と後側の一対の引き戸（１０、１０’）を備える収納棚（２２）であって、
上記いずれかの引き戸を前側の引き戸（１０）とし、
該後側の引き戸（１０’）は、それが閉じられた位置にあるときに、前側の引き戸から離れた側の縁に沿った取っ手（１４）を有し、且つ、当該後側の引き戸が前側の引き戸より広い横幅（Ｌ’）を有し、該後側の引き戸が開かれて前側の引き戸に重なったときに、当該後側の引き戸の取っ手（１４）が、前側の引き戸に重ならないようにした収納棚（２２）とすることができる。
【００１０】
このように前側及び後側の引き戸を構成することにより、完全に後側の引き戸を開いたとしても、該後側の引き戸を閉めることができる。
【考案を実施するための最良の形態】
【００１１】
以下、本考案に係る引き戸の実施形態を、添付図面に基づき説明する。
【００１２】
図１乃至図５は、棚などに用いられる本考案に係る引き戸１０、１０’を示している。引き戸は棚に取り付けられたとき（図６）に前側に位置する引き戸１０と、後側に位置する引き戸１０’の２枚から構成される。
【００１３】
図１に示すように、引き戸１０は、矩形状の引き戸本体１６と、該引き戸本体の左右両側縁面に取り付けられ上下に延びる細長いアルミ製縁板１８とを有している。引き戸本体１８の表面１２の左右両側縁には、該両側縁間の表面に対して凹み上下に延びる凹部２０が設けられ、取っ手１４としての溝が、凹部２０と表面（１２）との間の段面（１３）と該縁板２０との間に形成されている。
【００１４】
後側の引き戸１０’は、引き戸本体１８’の表面１２’の左側縁にのみ該凹部２２が設けられ、該縁板１８０との間に略矩形形状の断面を有する溝すなわち取っ手１４’が形成されている。また、後側の引き戸１０’を図で見て右に動かして図３の状態としたときに、その取っ手１４が引き戸１０によって覆われてしまわないように、引き戸１０’の横幅Ｌ’は引き戸１０の横幅Ｌよりも長くされている（図３、４）。これは後側の引き戸１０’を閉めるときのためである。
【００１５】
本実施形態に係る引き戸は、以上のように構成されるものであり、取っ手１４が引き戸の縦方向に渡って延びていることから、従来の引き戸と比べ、取っ手のどの部分に手をかけても引き戸の開閉が容易であるため、引き戸の取り付け位置や使用者の身長に関わらず引き戸の開閉が可能となる。加えて、前側の引き戸１０に関しては、取っ手１４を引き戸表面の左右両側縁に設けたことから、引き戸の開閉はどちらの取っ手を用いても行なえて非常に利便性がよい。
【００１６】
また、後側の引き戸１０’の横幅Ｌ’を前側の引き戸１０の横幅Ｌよりも長くしたことで、後側の引き戸１０’を完全に開けた場合、該引き戸１０’の取っ手１４が前側の引き戸１０と重ならないため（図３）、取っ手１４が前側の引き戸１０によって覆われてしまうことがなく、後側の引き戸１０’を再び閉じるのが容易になる。
【００１７】
以上実施例を用いて本考案を説明してきたが、本考案は当該実施例には限定されない。本実施例では、引き戸本体に取り付ける細長の縁板をアルミ製としたが、材質はこれに限定されず、引き戸本体と同質の材料などを用いてもよい。さらに、引き戸本体の表面の左右両側縁に上下に延びる凹部を設け、該縁板を引き戸本体に取り付けることで該凹部と該縁板との間に溝を形成したが（図５）、引き戸本体表面に縁板を用いないで直接溝を設けてもよい。
【００１８】
また、本実施例では、棚に取り付けられたとき前側に位置する引き戸にはその表面の左右両側縁、後ろ側に位置する引き戸にはその表面の左側縁のみに溝を設けたが、該後ろ側に位置する引き戸においてもその表面の左右両側縁に溝を設けてもよい。
【００１９】
さらに、本実施例では、溝の断面を略矩形形状となっているが、この断面形状には限定されない。例えば、半円形断面形状や多角形断面形状を有していてもよい。
【００２０】
本実施例では、引き戸を収納棚に用いられる引き戸として説明したが、その用途は棚に限られない。
【図面の簡単な説明】
【００２１】
【図１】本考案に係る引き戸の概要を示す斜視図であり、引き戸が閉じている状態を示している。
【図２】引き戸が閉じた状態の横断面図である。
【図３】本考案に係る引き戸の概要を示す斜視図であり、引き戸が開いている状態を示している。
【図４】引き戸が開いた状態の横断面図である。
【図５】本考案に係る引き戸が実装された収納棚を示す図である。
【符号の説明】
【００２２】
引き戸１０、１０’；表面１２、１２’；段面１３；取っ手１４；引き戸本体１６、１６’；縁板１８；凹部２０；収納棚２２
【図１】
0003145461.tif 000003
【図２】
0003145461.tif 000004
【図３】
0003145461.tif 000005
【図４】
0003145461.tif 000006
【図５】
0003145461.tif 000007